(57)【要約】      （修正有）【課題】石突きを下にして傘を立てようとした場合、手で支えていないと傘が倒れてしまうという不都合を解決するとともに自立する傘と傘保持具を提供する。【解決手段】傘１の手元の一部に、傘立てになる手元３を設け、傘立てになる手元を傘から取り外し傘立てになる手元に設けた挿着保持部に傘の石突き４を挿着することで傘を自立させることができる。【選択図】図１
2017099654.tif 000002
【特許請求の範囲】
【請求項１】
傘の手元の一部に前記手元に付け外し可能で、前記手元から取り外すことで
傘立てにもなる手元を設け
前記傘の石突きを挿着することで
前記傘を立たせた状態で保持する挿着保持部を前記、傘立てにもなる
手元の一部に設けたことを特徴とする自立式の傘                                     
【請求項２】
傘の手元の一部に前記手元に付け外し可能で、前記手元から取り外すことで
傘立てにもなる手元を設け
前記傘の石突きを前記傘立てにもなる手元に装着することで
前記傘を立たせた状態で保持する装着部を更に前記傘立てにもなる手元の一部に
備えたことを特徴とする自立式の傘
【請求項３】
傘の手元の一部に前記手元に付け外し可能で、前記手元から取り外すことで
傘立てにもなる手元を設け
前記傘の石突きを前記傘立てにもなる手元に装着し
前記傘の石突きの一部と傘立てにもなる手元の一部が係合することで
前記傘を立たせた状態で保持する装着部を前記、傘立てにもなる
手元の一部に設けたことを特徴とする自立式の傘
【請求項４】
傘の手元の一部に前記手元に付け外し可能で、前記手元から取り外すことで
傘立てにもなる手元を設け
前記傘の石突きを挟んで
前記傘を立たせた状態で保持する挟持部を前記、傘立てにもなる
手元の一部に設けたことを特徴とする自立式の傘
【請求項５】
傘の手元の一部に前記手元に付け外し可能で、前記手元から取り外すことで
傘立てにもなる手元を設け
前記傘立てにもなる手元に弾性体を備えた挟持部を設け
前記傘の石突きを
前記傘立てにもなる手元の挟持部で
前記傘を立たせた状態で保持することを特徴とする自立式の傘
【請求項６】
傘（１）の手元（２）に手元（２）と付け外し可能で傘立てにも
なる手元（３）を傘（１）の手元（２）の一部に設け
手元（３）に傘（１）の石突き（４）を挿着することで
傘（１）を立たせて保持させる挿着保持部（５）を手元（３）の一部に
設けたことを特徴とする自立式の傘
【請求項７】
傘（７１）の手元（７２）に手元（７２）と付け外し可能で傘立てにも
なる手元（７３）を傘（７１）の手元（７２）の一部に設け
傘（７１）の石突き（７４）を挿着することで
傘（７１）を立たせて保持させる挿着保持部（７５）を手元（７３）の
一部に設けさらに手元（７３）の挿着保持部（７５）を軸に回動する
ことで傘立てとして手元（７３）を利用時に支脚の一部になる
手元（７６）を手元（７３）の一部に更に備えたことを特徴とする自立式の傘
【請求項８】
請求項７に記載の自立式の傘において
手元（７３）の一部に磁石部（９５）と
手元（７６）の一部に磁石部（９５）と吸着する
磁石部（１３０）を更に備えたことを
特徴とする自立式の傘
【請求項９】
請求項７に記載の自立式の傘において
手元（７３）の一部に凹凸部（１８０）と
手元（７６）の一部に凹凸部（１８０）と係合する
凹凸部（１８１）を更に備えたことを特徴とする自立式の傘
【請求項１０】
傘（８１）の手元（８２）に手元（８２）と付け外し可能で傘立てにも
なる手元（８３）を傘（８１）の手元（８２）の一部に設け
傘（８１）の石突き（８４）を挿着することで
傘（８１）を立たせて保持させる挿着保持部（８５）を手元（８３）の
一部に設けさらに手元（８３）の一部に軸（８８）と軸（８８）を支点に
回動して開くことで支脚の一部になる手元（８７）を更に備えたことを
特徴とする自立式の傘
【請求項１１】
請求項１０に記載の自立式の傘において
手元（８３）の一部に磁石ストッパー（９６）と
手元（８７）の一部に磁石ストッパー（９６）と吸着する
ストッパー吸着磁石（９７）と
手元（８３）の一部に磁石部（９８）と
手元（８７）の一部に磁石部（９８）と吸着する磁石部（１３１）
を更に備えたことを特徴とする自立式の傘
【請求項１２】
請求項１０に記載の自立式の傘において
手元（８３）の一部に磁石ストッパー（９６）と
手元（８７）の一部に磁石ストッパー（９６）と吸着する
ストッパー吸着磁石（９７）と
手元（８３）の一部に凹凸部（１８４）と
手元（８７）の一部に凹凸部（１８４）と係合する凹凸部（１８５）
を更に備えたことを特徴とする自立式の傘
【請求項１３】
請求項１０に記載の自立式の傘において
手元（８３）の一部に凹凸部（１８２）と
手元（８７）の一部に凹凸部（１８２）と係合する凹凸部（１８３）と
手元（８３）の一部に磁石部（９８）と
手元（８７）の一部に磁石部（９８）と吸着する磁石部（１３１）を
更に備えたことを特徴とする自立式の傘
【請求項１４】
請求項１０に記載の自立式の傘において
手元（８３）の一部に凹凸部（１８２）と
手元（８７）の一部に凹凸部（１８２）と係合する凹凸部（１８３）と
手元（８３）の一部に凹凸部（１８４）と
手元（８７）の一部に凹凸部（１８４）と係合する凹凸部（１８５）
を更に備えたことを特徴とする自立式の傘
【請求項１５】
傘（１１）の手元（１２）に手元（１２）と付け外し可能で傘立てにもなる
手元（９）を傘（１１）の手元（１２）の一部に設け
手元（９）は、閉じ開き可能であり手元（１２）から取り外し
開くことで傘立てになる構造を有し
手元（９）を開いて地面に設置し、傘（１１）の石突き（１３）を挿着することで
傘（１１）を立たせた状態で保持することができる挿着保持部（１０）を
地面に対して垂直になるように手元（９）の一部に設けたことを
特徴とする自立式の傘
【請求項１６】
請求項１５に記載の自立式の傘において
手元（９）の一部に磁石式のストッパー（１０４）と磁石式のストッパー（１０４）と
吸着する磁石式のストッパー（１３３）を更に備えたことを特徴とする自立式の傘
【請求項１７】
請求項１５に記載の自立式の傘において
手元（９）の一部に凹凸を備えた凹凸ストッパー（１８６）と
凹凸ストッパー（１８６）と係合する凹凸を備えた凹凸ストッパー（１８７）を
更に備えたことを特徴とする自立式の傘
【請求項１８】
請求項１５〜１７のいずれかに記載の自立式の傘において
手元（９）の一部に磁石部（１０３）と磁石部（１０３）と吸着する
磁石部（１３２）を更に備えたことを特徴とする自立式の傘
【請求項１９】
請求項１５〜１７のいずれかに記載の自立式の傘において
手元（９）の一部に凹凸部（１８８）と、凹凸部（１８８）と係合する
凹凸部（１８９）を更に備えたことを特徴とする自立式の傘
【請求項２０】
傘（１４）の手元（１５）に手元（１５）と付け外し可能で傘立てにもなる
手元（１６）を傘（１４）の手元（１５）の一部に設け
更に傘（１４）の手元（１５）の一部にネジ部（１８）と
石突き（２０）の一部にネジ部（１９）を設け、ネジ部（１８）と
ネジ部（１９）に係合するネジ穴（２１）を手元（１６）の一部に設け
手元（１５）のネジ部（１８）から手元（１６）のネジ穴（２１）を回し外し
石突き（２０）のネジ部（１９）に
手元（１６）のネジ穴（２１）を回しはめることで、傘立てとして使用する
手元（１６）により傘（１４）を立たせて保持させることができるようにした
ことを特徴とする自立式の傘
【請求項２１】
傘（１４１）の手元（１４５）に手元（１４５）と付け外し可能で傘立てにもなる
手元（１４７）を傘（１４１）の手元（１４５）の一部に設け
更に傘（１４１）の手元（１４５）の一部に凹凸部（１４６）と
石突き（１４２）の一部に凹凸部（１４３）を設け、凹凸部（１４６）と凹凸部
（１４３）に係合する凹凸部（１４８）を手元（１４７）の挿着保持部（１４９）の
一部に設け、手元（１４５）の凹凸部（１４６）から手元（１４７）の
凹凸部（１４８）引っ張って外し石突き（１４２）の凹凸部（１４３）に    
手元（１４７）の凹凸部（１４８）を押しはめることで、傘立てとして使用する
手元（１４７）により傘（１４１）を立たせて保持させることができるようにした
ことを特徴とする自立式の傘
【請求項２２】
傘（１６１）の手元（１６５）に手元（１６５）と付け外し可能で傘立てにもなる
手元（１６７）を傘（１６１）の手元（１６５）の一部に設け
更に傘（１６１）の手元（１６５）の一部に挿着部（１６４）と
石突き（１６２）を設け、挿着部（１６４）と石突き（１６２）に
係合する挿着保持部（１６９）を手元（１６７）の一部に設け
手元（１６５）の挿着部（１６４）から手元（１６７）の挿着保持部（１６９）
を外し石突き（１６２）を
手元（１６７）の挿着保持部（１６９）に挿しはめることで、傘立てとして使用する
手元（１６７）により傘（１６１）を立たせて保持させることができるようにした
ことを特徴とする自立式の傘
【請求項２３】
傘（２２）の手元（２３）に手元（２３）と付け外し可能で傘立てにも
なる手元（２４）を傘（２２）の手元（２３）の一部に設け
手元（２４）の先端部（２５）が開くことで傘立ての支脚の一部になる
開閉支脚部（２６）を手元（２４）の一部に設け
手元（２４）に傘（２２）の石突き（２７）を挿着することで
傘（２２）を立たせて保持させる挿着保持部（２８）を手元（２４）の一部
に設けたことを特徴とする自立式の傘
【請求項２４】
請求項２３に記載の自立式の傘において
手元（２４）の一部に磁石部（１１４）と、
磁石部（１１４）と吸着する磁石部（１１３）を
開閉支脚部（２６）の一部に更に備えたことを特徴とする自立式の傘
【請求項２５】
請求項２３に記載の自立式の傘において
手元（２４）の一部に凹凸部（１９０）と、
凹凸部（１９０）と係合する凹凸部（１９１）を
開閉支脚部（２６）の一部に更に備えたことを特徴とする自立式の傘
【請求項２６】
傘（１９５）の手元（１９６）に手元（１９６）と付け外し可能で傘立てにも
なる手元（１９７）を傘（１９５）の手元（１９６）の一部に設け
手元（１９７）の先端部（１９８）が開くことで傘立ての支脚の一部になる
開閉支脚部（１９９）を手元（１９７）の一部に設け
手元（１９７）に傘（１９５）の石突き（２００）を挿着することで
傘（１９５）を立たせて保持させる挿着保持部（２０１）を手元（１９７）
の一部に設けたことを特徴とする自立式の傘
【請求項２７】
請求項２６に記載の自立式の傘において
手元（１９７）の一部に磁石部（２０２）と、
磁石部（２０２）と吸着する磁石部（２０３）を
開閉支脚部（１９９）の一部に更に備えたことを特徴とする自立式の傘
【請求項２８】
請求項２６に記載の自立式の傘において
手元（１９７）の一部に凹凸部（２０４）と、
凹凸部（２０４）と係合する凹凸部（２０５）を
開閉支脚部（１９９）の一部に更に備えたことを特徴とする自立式の傘
【請求項２９】
傘（２１１）の手元（２１２）に手元（２１２）と付け外し可能で傘立てにも
なる手元（２１３）を傘（２１１）の手元（２１２）の一部に設け
手元（２１３）の先端部（２１４）が開くことで傘立ての支脚の一部になる
開閉支脚部（２１５）を手元（２１３）の一部に設け
手元（２１３）に傘（２１１）の石突き（２１６）を挿着することで
傘（２１１）を立たせて保持させる挿着保持部（２１７）を手元（２１３）
の一部に設けたことを特徴とする自立式の傘
【請求項３０】
請求項２９に記載の自立式の傘において
手元（２１３）の一部に磁石部（２１８）と、
磁石部（２１８）と吸着する磁石部（２１９）を
開閉支脚部（２１５）の一部に更に備えたことを特徴とする自立式の傘
【請求項３１】
請求項２９に記載の自立式の傘において
手元（２１３）の一部に凹凸部（２２０）と、
凹凸部（２２０）と係合する凹凸部（２２１）を
開閉支脚部（２１５）の一部に更に備えたことを特徴とする自立式の傘
【請求項３２】
傘（３３）の手元（３４）に手元（３４）と付け外し可能で傘立てにも
なる手元（３５）を傘（３３）の手元（３４）の一部に設け
手元（３５）の先端部（３６）が回動することで傘立ての支脚の一部に
なる回動支脚部（３７）を手元（３５）の一部に設け手元（３５）に傘（３３）の
石突き（３８）を挿着することで傘（３３）を立たせて保持させる
挿着保持部（３９）を手元（３５）の一部に設けたことを特徴とする自立式の傘
【請求項３３】
請求項３２に記載の自立式の傘において
手元（３５）の先端部（３６）の一部に凹凸部（１９３）と
凹凸部（１９３）と係合する凹凸部（１９４）を
回動支脚部（３７）の一部に更に備えたことを特徴とする自立式の傘
【請求項３４】
請求項３２に記載の自立式の傘において
手元（３５）の先端部（３６）の一部に磁石部（１２１）と
磁石部（１２１）と係合する磁石部（１２２）を
回動支脚部（３７）の一部に更に備えたことを特徴とする自立式の傘
【請求項３５】
傘（２３１）の手元（２３２）に手元（２３２）と付け外し可能で傘立てにも
なる手元（２３３）を傘（２３１）の手元（２３２）の一部に設け
手元（２３３）の先端部（２３４）が回動することで傘立ての支脚の一部に
なる回動支脚部（２３５）を手元（２３３）の一部に設け手元（２３３）に
傘（２３１）の石突き（２３６）を挿着することで傘（２３１）を
立たせて保持させる挿着保持部（２３７）を手元（２３３）の一部に
設けたことを特徴とする自立式の傘
【請求項３６】
請求項３５に記載の自立式の傘において
手元（２３３）の先端部（２３４）の一部に磁石部（２３８）と
磁石部（２３８）と吸着する磁石部（２３９）を
回動支脚部（２３５）の一部に更に備えたことを特徴とする自立式の傘
【請求項３７】
請求項１〜３６のいずれかに記載の自立式の傘において
傘の石突きの一部に磁石部（４０）と前記石突きに吸着する磁石部（４１）を
挿着保持部の一部に更に設けたことを特徴とする自立式の傘
【請求項３８】
請求項１〜３７のいずれかに記載の自立式の傘において
傘から取り外さない側の手元の一部にクリップ（２９）とクリップ（２９）の
先方に挟み部（３０）を設け、傘立てになる側の手元の一部に溝（３１）を
更に設け、溝（３１）にクリップ（２９）の挟み部（３０）で挟むことで
取り外さない側の手元と傘立てになる側の手元を固着することを特徴とする
自立式の傘
【請求項３９】
請求項１〜３８のいずれかに記載の自立式の傘において
傘の石突きの一部にネジ部（４２）を更に備え、前記石突きの一部に備えた
ネジ部（４２）と係合するネジ穴（４３）を挿着保持部の一部に更に備えたことを
特徴とする自立式の傘
【請求項４０】
請求項１〜３９のいずれかに記載の自立式の傘において
傘の石突きの一部に凹凸部（４４）を更に備え、前記石突きの一部に備えた
凹凸部（４４）と係合する凹凸部（４５）を挿着保持部の一部に更に備えたことを
特徴とする自立式の傘
【請求項４１】
請求項１〜４０のいずれかに記載の自立式の傘において
挿着保持部の開口部に色と印しにより石突きの挿着場所を印す目印（４６）を
更に備えたことを特徴とする自立式の傘
【請求項４２】
請求項１〜４１のいずれかに記載の自立式の傘において
傘立てにもなる手元を傘立てとして利用する際に前記手元の両先端部が
地面に対して水平になる形状（５３）を備えたことを特徴とする自立式の傘
【請求項４３】
請求項１〜４２のいずれかに記載の自立式の傘において
傘から取り外さない側の手元に、傘立てになる側の手元と付け外しを可能
に接続するための装着部の一部に、ネジ部を更に備え前記取り外さない側の
手元の装着部の一部に備えたネジ部と、係合するネジ部を
前記傘立てになる側の手元の装着部の一部に更に備えたことを特徴とする自立式の傘
【請求項４４】
請求項１〜４２のいずれかに記載の自立式の傘において
傘から取り外さない側の手元に、傘立てになる側の手元と付け外し可能に接続する
ための装着部の一部に、凹凸部（４９）を更に備え前記取り外さない
側の手元の装着部の一部に備えた凹凸部（４９）と
係合する凹凸部（５０）を前記傘立てになる側の
手元の装着部の一部に更に備えたことを特徴とする自立式の傘
【請求項４５】
請求項１〜４４のいずれかに記載の自立式の傘において
傘から取り外さない側の手元に、傘立てになる側の手元と付け外し可能に接続する
ための装着部の一部に磁石部（５１）を更に備え前記取り外さない側の手元の
装着部の一部に備えた磁石部（５１）と吸着する磁石部（５２）を前記傘立て
になる側の手元の装着部の一部に更に備えたことを特徴とする自立式の傘
【発明の詳細な説明】
【技術分野】
【０００１】
本発明は、自立式の傘に関するものであり
傘の手元の一部を取り外すことで、取り外した手元を傘立てとして使用することが
できるようにしたものである。
【発明の開示】
【発明が解決しようとする課題】
【０００２】
従来のような傘では、自立させることができず、手でもっていないと傘が倒れて
しまい不便である。本発明は、傘を手で持たなくても自立した状態を保持できる
ようにし、地面に置いた傘が倒れてしまうという不都合を解決することを課題とする
【課題を解決するための手段】
【０００３】
請求項１に記載の発明は
傘の手元の一部に前記手元に付け外し可能で、前記手元から取り外すことで
傘立てにもなる手元を設け
前記傘の石突きを挿着することで
前記傘を立たせた状態で保持する挿着保持部を前記、傘立てにもなる手元の一部に
設けたことを特徴とする自立式の傘である
これにより前記傘の手元から、前記傘立てになる手元を
取り外し、前記、傘の石突きを、前記傘立てにもなる手元の一部に設けた前記
挿着保持部に挿着することで、前記傘立てにもなる手元により
前記傘を立たせておくことができる
【０００４】
請求項２に記載の発明は
傘の手元の一部に前記手元に付け外し可能で、前記手元から取り外すことで
傘立てにもなる手元を設け
前記傘の石突きを前記傘立てにもなる手元に装着することで
前記傘を立たせた状態で保持する装着部を更に前記傘立てにもなる手元の一部に
備えたことを特徴とする自立式の傘
である。これにより
前記傘立てにもなる手元を前記傘の手元から取り外し、
前記傘の石突きに前記傘立てにもなる手元を装着することで
傘を立たせた状態で保持することができる
【０００５】
請求項３に記載の発明は
傘の手元の一部に前記手元に付け外し可能で、前記手元から取り外すことで
傘立てにもなる手元を設け
前記傘の石突きを前記傘立てにもなる手元に装着し
前記傘の石突きの一部と傘立てにもなる手元の一部が係合することで
前記傘を立たせた状態で保持する装着部を前記、傘立てにもなる
手元の一部に設けたことを特徴とする自立式の傘
である。これにより
前記傘立てにもなる手元を前記傘の手元から取り外し、
前記傘の石突きに前記傘立てにもなる手元を装着し係合することで
傘を立たせた状態で保持することができる
【０００６】
請求項４に記載の発明は
傘の手元の一部に前記手元に付け外し可能で、前記手元から取り外すことで
傘立てにもなる手元を設け
前記傘の石突きを挟んで
前記傘を立たせた状態で保持する挟持部を前記、傘立てにもなる
手元の一部に設けたことを特徴とする自立式の傘
である。これにより
前記傘立てにもなる手元を前記傘の手元から取り外し、
前記傘の石突きを前記傘立てにもなる手元の挟持部で挟んで保持することで
傘を立たせた状態で保持することができる
【０００７】
請求項５に記載の発明は
傘の手元の一部に前記手元に付け外し可能で、前記手元から取り外すことで
傘立てにもなる手元を設け
前記傘立てにもなる手元に弾性体を備えた挟持部を設け
前記傘の石突きを
前記傘立てにもなる手元の挟持部で
前記傘を立たせた状態で保持することを特徴とする自立式の傘
である。これにより
前記傘立てにもなる手元を前記傘の手元から取り外し、
前記傘の石突きを前記傘立てにもなる手元の挟持部で挟んで保持することで
傘を立たせた状態で保持することができる
【０００８】
請求項６に記載の発明は
傘（１）の手元（２）に手元（２）と付け外し可能で傘立てにも
なる手元（３）を傘（１）の手元（２）の一部に設け
手元（３）に傘（１）の石突き（４）を挿着することで
傘（１）を立たせて保持させる挿着保持部（５）を手元（３）の一部に
設けたことを特徴とする自立式の傘である
これにより
傘立てになる手元を傘から取り外し傘立てになる手元の
挿着保持部に傘の石突きを挿着することで傘立てになる手元で
傘を立たせた状態で保持することができる
【０００９】
請求項７に記載の発明は
傘（７１）の手元（７２）に手元（７２）と付け外し可能で傘立てにも
なる手元（７３）を傘（７１）の手元（７２）の一部に設け
傘（７１）の石突き（７４）を挿着することで
傘（７１）を立たせて保持させる挿着保持部（７５）を手元（７３）の一部に
設け更に手元（７３）の挿着保持部（７５）を軸に回動することで
傘立てとして手元（７３）を利用時に支脚の一部に
なる手元（７６）を手元（７３）の一部に更に備えたことを特徴とする
自立式の傘である
これにより
傘立てになる手元を傘から取り外し傘立てになる手元の一部に備えた傘立ての
挿着保持部を軸に回動することで傘立ての支脚の一部になる手元を回動して支脚を
出し傘立てになる手元の挿着保持部に傘の石突きを挿着することで傘立てになる
手元で傘を立たせた状態で保持することができる。
【００１０】
請求項８に記載の発明は
請求項７に記載の自立式の傘において
手元（７３）の一部に磁石部（９５）と
手元（７６）の一部に磁石部（９５）と吸着する
磁石部（１３０）を更に備えたことを
特徴とする自立式の傘である。これにより
手元（７３）を傘立てとして使用しない時に手元（７３）の一部に備えた
磁石部（９５）と手元（７６）の一部に備えた磁石部（１３０）が吸着する
ことにより手元（７６）が勝手に回動して開いてしまうのを防止できる。
【００１１】
請求項９に記載の発明は
請求項７に記載の自立式の傘において
手元（７３）の一部に凹凸部（１８０）と
手元（７６）の一部に凹凸部（１８０）と係合する
凹凸部（１８１）を更に備えたことを特徴とする自立式の傘である。これにより
手元（７３）を傘立てとして使用しない時に手元（７３）の一部に備えた
凹凸部（１８０）と手元（７３）の一部に備えた凹凸部（１８１）が
係合することにより手元（７６）が勝手に回動して開いてしまうのを防止できる。
【００１２】
請求項１０に記載の発明は
傘（８１）の手元（８２）に手元（８２）と付け外し可能で傘立てにも
なる手元（８３）を傘（８１）の手元（８２）の一部に設け
傘（８１）の石突き（８４）を挿着することで
傘（８１）を立たせて保持させる挿着保持部（８５）を手元（８３）の一部に
設け更に手元（８３）の一部に軸（８８）と軸（８８）を支点に回動して開くことで
支脚の一部になる手元（８７）を更に備えたことを特徴とする自立式の傘である
これにより
傘立てになる手元を傘から取り外し、傘立てになる手元の一部に備えた傘立ての
支脚の一部になる手元を回動して支脚を出し、傘立てになる手元の挿着保持部に
傘の石突きを挿着することで傘立てになる手元で
傘を立たせた状態で保持することができる。
【００１３】
請求項１１に記載の発明は
請求項１０に記載の自立式の傘において
手元（８３）の一部に磁石ストッパー（９６）と
手元（８７）の一部に磁石ストッパー（９６）と吸着する
ストッパー吸着磁石（９７）と
手元（８３）の一部に磁石部（９８）と
手元（８７）の一部に磁石部（９８）と吸着する磁石部（１３１）
を更に備えたことを特徴とする自立式の傘である。これにより
手元（８３）を傘立てとして使用する際、手元（８３）の一部に備えた
磁石ストッパー（９６）と手元（８７）の一部に備えたストッパー吸着磁石（９７）
が、吸着することで、手元（８７）が開きすぎるのを防止すると共に
手元（８７）が開いて支脚として機能する状態を維持し、
又、手元（８３）を傘立てとして使用しない時は手元（８３）の一部に備えた
磁石部（９８）と手元（８７）の一部に備えた磁石部（１３１）が吸着すること
により、手元（８７）が勝手に回動して開いてしまうのを防止できる
【００１４】
請求項１２に記載の発明は
請求項１０に記載の自立式の傘において
手元（８３）の一部に磁石ストッパー（９６）と
手元（８７）の一部に磁石ストッパー（９６）と吸着する
ストッパー吸着磁石（９７）と
手元（８３）の一部に凹凸部（１８４）と
手元（８７）の一部に凹凸部（１８４）と係合する凹凸部（１８５）
を更に備えたことを特徴とする自立式の傘である。これにより
手元（８３）を傘立てとして使用する際、手元（８３）の一部に備えた
磁石ストッパー（９６）と手元（８７）の一部に備えたストッパー吸着磁石（９７）
が、吸着することで手元（８７）が開きすぎるのを防止すると共に
手元（８７）が開いて支脚として機能する状態を維持し
又、手元（８３）を傘立てとして使用しない時は手元（８３）の一部に備えた
凹凸部（１８４）と手元（８７）の一部に備えた凹凸部（１８５）が係合する
ことにより手元（８７）が勝手に回動して開いてしまうのを防止できる
【００１５】
請求項１３に記載の発明は
請求項１０に記載の自立式の傘において
手元（８３）の一部に凹凸部（１８２）と
手元（８７）の一部に凹凸部（１８２）と係合する凹凸部（１８３）と
手元（８３）の一部に磁石部（９８）と
手元（８７）の一部に磁石部（９８）と吸着する磁石部（１３１）を
更に備えたことを特徴とする自立式の傘である。これにより
手元（８３）を傘立てとして使用する際、手元（８３）の一部に備えた
凹凸部（１８２）と手元（８７）の一部に備えた凹凸部（１８３）が
係合することで手元（８７）が開きすぎるのを防止すると共に
手元（８７）が開いて支脚として機能する状態を維持し
又、手元（８３）を傘立てとして使用しない時は手元（８３）の一部に備えた
磁石部（９８）と手元（９７）の一部に備えた磁石部（１３１）が吸着する
ことにより手元（８７）が勝手に回動して開いてしまうのを防止できる
【００１６】
請求項１４に記載の発明は
請求項１０に記載の自立式の傘において
手元（８３）の一部に凹凸部（１８２）と
手元（８７）の一部に凹凸部（１８２）と係合する凹凸部（１８３）と
手元（８３）の一部に凹凸部（１８４）と
手元（８７）の一部に凹凸部（１８４）と係合する凹凸部（１８５）
を更に備えたことを特徴とする自立式の傘である。これにより
手元（８３）を傘立てとして使用する際、手元（８３）の一部に備えた
凹凸部（１８２）と手元（８７）の一部に備えた凹凸部（１８３）が
係合することで手元（８７）が開きすぎるのを防止すると共に
手元（８７）が開いて支脚として機能する状態を維持し
又、手元（８３）を傘立てとして使用しない時は手元（８３）の一部に備えた
凹凸部（１８４）と手元（８７）の一部に備えた凹凸部（１８５）が係合する
ことにより手元（８７）が勝手に回動して開いてしまうのを防止できる
【００１７】
請求項１５に記載の発明は
傘（１１）の手元（１２）に手元（１２）と付け外し可能で傘立てにもなる
手元（９）を傘（１１）の手元（１２）の一部に設け
手元（９）は、閉じ開き可能であり手元（１２）から取り外し
開くことで傘立てになる構造を有し、手元（９）を開いて地面に設置し、
傘（１１）の石突き（１３）を挿着することで傘（１１）を立たせた状態で
保持することができる挿着保持部（１０）を地面に対して垂直になるように
手元（９）の一部に設けたことを特徴とする自立式の傘である
これにより
傘立てになる手元を傘から取り外し、傘立てになる手元を開いて挿着保持部に
傘の石突きを挿着することで傘を立たせた状態で保持することができる
【００１８】
請求項１６に記載の発明は
請求項１５に記載の自立式の傘において
手元（９）の一部に磁石式のストッパー（１０４）と
磁石式のストッパー（１０４）と
吸着する磁石式のストッパー（１３３）を更に備えたことを特徴とする自立式の傘
である。これにより
手元（９）を傘立てとして使用する際、手元（９）の一部に備えた
磁石式のストッパー（１０４）と磁石式のストッパー（１３３）が
吸着することで手元（９）が
開き過ぎるのを防止すると同時に手元（９）が開いて傘立てとして使用できる
状態に維持できる
【００１９】
請求項１７に記載の発明は
請求項１５に記載の自立式の傘において
手元（９）の一部に凹凸を備えた凹凸ストッパー（１８６）と
凹凸ストッパー（１８６）と係合する凹凸を備えた凹凸ストッパー（１８７）を
更に備えたことを特徴とする自立式の傘である。これにより
手元（９）を傘立てとして使用する際、手元（９）の一部に備えた
凹凸ストッパー（１８６）と凹凸ストッパー（１８７）が係合することで
手元（９）が開き過ぎるのを防止すると同時に手元（９）が開いて
傘立てとして使用できる状態に維持できる
【００２０】
請求項１８に記載の発明は
請求項１５〜１７のいずれかに記載の自立式の傘において
手元（９）の一部に磁石部（１０３）と磁石部（１０３）と吸着する
磁石部（１３２）を更に備えたことを特徴とする自立式の傘である。これにより
手元（９）を傘立てとして使用しない時に手元（９）の一部に備えた
磁石部（１０３）と磁石部（１３２）が吸着することで
手元（９）が勝手に開いてしまうのを防止できる。
【００２１】
請求項１９に記載の発明は
請求項１５〜１７のいずれかに記載の自立式の傘において
手元（９）の一部に凹凸部（１８８）と、凹凸部（１８８）と係合する
凹凸部（１８９）を更に備えたことを特徴とする自立式の傘である。これにより
手元（９）を傘立てとして使用しない時に、手元（９）の一部に備えた
凹凸部（１８８）と凹凸部（１８９）が係合することで
手元（９）が勝手に開いてしまうのを防止できる
【００２２】
請求項２０に記載の発明は
傘（１４）の手元（１５）に手元（１５）と付け外し可能で傘立てにもなる
手元（１６）を傘（１４）の手元（１５）の一部に設け
更に傘（１４）の手元（１５）の一部にネジ部（１８）と
石突き（２０）の一部にネジ部（１９）を設け、ネジ部（１８）と
ネジ部（１９）に係合するネジ穴（２１）を手元（１６）の一部に設け
手元（１５）のネジ部（１８）から手元（１６）のネジ穴（２１）を回し外し
石突き（２０）のネジ部（１９）に
手元（１６）のネジ穴（２１）を回しはめることで、傘立てとして使用する
手元（１６）により傘（１４）を立たせて保持させることができるように
したことを特徴とする自立式の傘である。
これにより
傘を傘立てにもなる手元で立たせておくことができる。
【００２３】
請求項２１に記載の発明は
傘（１４１）の手元（１４５）に手元（１４５）と付け外し可能で
傘立てにもなる手元（１４７）を傘（１４１）の手元（１４５）の一部に設け
更に傘（１４１）の手元（１４５）の一部に凹凸部（１４６）と
石突き（１４２）の一部に凹凸部（１４３）を設け、凹凸部（１４６）と凹凸部
（１４３）に係合する凹凸部（１４８）を手元（１４７）の
挿着保持部（１４９）の一部に設け、手元（１４５）の凹凸部（１４６）から
手元（１４７）の凹凸部（１４８）引っ張って外し石突き（１４２）の
凹凸部（１４３）に    手元（１４７）の凹凸部（１４８）を押しはめることで、
傘立てとして使用する手元（１４７）により傘（１４１）を立たせて
保持させることができるようにしたことを特徴とする自立式の傘である。
これにより
傘を傘立てにもなる手元で立たせておくことができる。
【００２４】
請求項２２に記載の発明は
傘（１６１）の手元（１６５）に手元（１６５）と付け外し可能で傘立てにもなる
手元（１６７）を傘（１６１）の手元（１６５）の一部に設け
更に傘（１６１）の手元（１６５）の一部に挿着部（１６４）と
石突き（１６２）を設け、挿着部（１６４）と石突き（１６２）に
係合する挿着保持部（１６９）を手元（１６７）の一部に設け
手元（１６５）の挿着部（１６４）から手元（１６７）の挿着保持部（１６９）を
外し石突き（１６２）を手元（１６７）の挿着保持部（１６９）に
挿しはめることで、傘立てとして使用する
手元（１６７）により傘（１６１）を立たせて保持させることができるように
したことを特徴とする自立式の傘である。
これにより
傘を傘立てにもなる手元で立たせておくことができる。
【００２５】
請求項２３に記載の発明は
傘（２２）の手元（２３）に手元（２３）と付け外し可能で傘立てにも
なる手元（２４）を傘（２２）の手元（２３）の一部に設け
手元（２４）の先端部（２５）が開くことで傘立ての支脚の一部になる
開閉支脚部（２６）を手元（２４）の一部に設け
手元（２４）に傘（２２）の石突き（２７）を挿着することで
傘（２２）を立たせて保持させる挿着保持部（２８）を手元（２４）の一部
に設けたことを特徴とする自立式の傘である。
これにより
傘立てになる手元を傘から取り外し、傘立てになる手元の開閉支脚部を開けて傘を
支える支脚を出し、挿着保持部に傘の石突きを挿着することで傘を立たせて
おくことができる。
【００２６】
請求項２４に記載の発明は
請求項２３に記載の自立式の傘において
手元（２４）の一部に磁石部（１１４）と、
磁石部（１１４）と吸着する磁石部（１１３）を
開閉支脚部（２６）の一部に更に備えたことを特徴とする自立式の傘
である。これにより
手元（２４）を傘立てとして使用する際、手元（２４）の一部に備えた
磁石部（１１４）と磁石部（１１３）が吸着することで
開閉支脚部（２６）を傘立てとして使用する際の支脚として使用できる状態を
維持できる
【００２７】
請求項２５に記載の発明は
請求項２３に記載の自立式の傘において
手元（２４）の一部に凹凸部（１９０）と、
凹凸部（１９０）と係合する凹凸部（１９１）を
開閉支脚部（２６）の一部に更に備えたことを特徴とする自立式の傘
である。これにより
手元（２４）を傘立てとして使用する際、手元（２４）の一部に備えた
凹凸部（１９０）と凹凸部（１９１）が係合することで
開閉支脚部（２６）を傘立てとして使用する際の支脚として使用できる状態を
維持できる
【００２８】
請求項２６に記載の発明は
傘（１９５）の手元（１９６）に手元（１９６）と付け外し可能で傘立てにも
なる手元（１９７）を傘（１９５）の手元（１９６）の一部に設け
手元（１９７）の先端部（１９８）が開くことで傘立ての支脚の一部になる
開閉支脚部（１９９）を手元（１９７）の一部に設け
手元（１９７）に傘（１９５）の石突き（２００）を挿着することで
傘（１９５）を立たせて保持させる挿着保持部（２０１）を手元（１９７）の一部
に設けたことを特徴とする自立式の傘である。
これにより
傘立てになる手元を傘から取り外し、傘立てになる手元の開閉支脚部を開けて傘を
支える支脚を出し、挿着保持部に傘の石突きを挿着することで傘を立たせて
おくことができる。
【００２９】
請求項２７に記載の発明は
請求項２６に記載の自立式の傘において
手元（１９７）の一部に磁石部（２０２）と、
磁石部（２０２）と吸着する磁石部（２０３）を
開閉支脚部（１９９）の一部に更に備えたことを特徴とする自立式の傘
である。これにより
手元（１９７）を傘立てとして使用する際、手元（１９７）の一部に備えた
磁石部（２０２）と磁石部（２０３）が吸着することで
開閉支脚部（１９９）を傘立てとして使用する際の支脚として使用できる状態を
維持できる
【００３０】
請求項２８に記載の発明は
請求項２６に記載の自立式の傘において
手元（１９７）の一部に凹凸部（２０４）と、
凹凸部（２０４）と係合する凹凸部（２０５）を
開閉支脚部（１９９）の一部に更に備えたことを特徴とする自立式の傘
である。これにより
手元（１９７）を傘立てとして使用する際、手元（１９７）の一部に備えた
凹凸部（２０４）と凹凸部（２０５）が係合することで
開閉支脚部（１９９）を傘立てとして使用する際の支脚として使用できる状態を
維持できる
【００３１】
請求項２９に記載の発明は
傘（２１１）の手元（２１２）に手元（２１２）と付け外し可能で傘立てにも
なる手元（２１３）を傘（２１１）の手元（２１２）の一部に設け
手元（２１３）の先端部（２１４）が開くことで傘立ての支脚の一部になる
開閉支脚部（２１５）を手元（２１３）の一部に設け
手元（２１３）に傘（２１１）の石突き（２１６）を挿着することで
傘（２１１）を立たせて保持させる挿着保持部（２１７）を手元（２１３）の一部
に設けたことを特徴とする自立式の傘である。
これにより
傘立てになる手元を傘から取り外し、傘立てになる手元の開閉支脚部を開けて傘を
支える支脚を出し、挿着保持部に傘の石突きを挿着することで傘を立たせて
おくことができる。
【００３２】
請求項３０に記載の発明は
請求項２９に記載の自立式の傘において
手元（２１３）の一部に磁石部（２１８）と、
磁石部（２１８）と吸着する磁石部（２１９）を
開閉支脚部（２１５）の一部に更に備えたことを特徴とする自立式の傘
である。これにより
手元（２１３）を傘立てとして使用する際、手元（２１３）の一部に備えた
磁石部（２１８）と磁石部（２１９）が吸着することで
開閉支脚部（２１５）を傘立てとして使用する際の支脚として使用できる状態を
維持できる
【００３３】
請求項３１に記載の発明は
請求項２９に記載の自立式の傘において
手元（２１３）の一部に凹凸部（２２０）と、
凹凸部（２２０）と係合する凹凸部（２２１）を
開閉支脚部（２２５）の一部に更に備えたことを特徴とする自立式の傘
である。これにより
手元（２１３）を傘立てとして使用する際、手元（２１３）の一部に備えた
凹凸部（２２０）と凹凸部（２２１）が係合することで
開閉支脚部（２１５）を傘立てとして使用する際の支脚として使用できる状態を
維持できる
【００３４】
請求項３２に記載の発明は
傘（３３）の手元（３４）に手元（３４）と付け外し可能で傘立てにも
なる手元（３５）を傘（３３）の手元（３４）の一部に設け
手元（３５）の先端部（３６）が回動することで傘立ての支脚の一部になる
回動支脚部（３７）を手元（３５）の一部に設け、手元（３５）に傘（３３）の
石突き（３８）を挿着することで傘（３３）を立たせて
保持させる挿着保持部（３９）を手元（３５）の一部に設けたことを
特徴とする自立式の傘である
これにより
傘立てになる手元を傘から取り外し、傘立てになる手元の回動支脚部（３７）を
回動させて傘を支える支脚を出し、挿着保持部（３９）に傘の石突きを
挿着することで傘を立たせておくことができる。
【００３５】
請求項３３に記載の発明は
請求項３２に記載の自立式の傘において
手元（３５）の先端部（３６）の一部に凹凸部（１９３）と
凹凸部（１９３）と係合する凹凸部（１９４）を
回動支脚部（３７）の一部に更に備えたことを特徴とする自立式の傘
である。これにより
手元（３５）を傘立てとして使用する際、手元（３５）の先端部（３６）
の一部に備えた凹凸部（１９３）と手元（３５）の回動支脚部（３７）
の一部に備えた凹凸部（１９４）が係合することで
回動支脚部（３７）を傘立ての支脚の一部として使用できる状態を維持できる。
【００３６】
請求項３４に記載の発明は
請求項３２に記載の自立式の傘において
手元（３５）の先端部（３６）の一部に磁石部（１２１）と
磁石部（１２１）と係合する磁石部（１２２）を
回動支脚部（３７）の一部に更に備えたことを特徴とする自立式の傘
である。これにより
手元（３５）を傘立てとして使用する際、手元（３５）の先端部（３６）
の一部に備えた磁石部（１２１）と手元（３５）の回動支脚部（３７）
の一部に備えた凹凸部（１２２）が係合することで
回動支脚部（３７）を傘立ての支脚の一部として使用できる状態を維持できる。
【００３７】
請求項３５に記載の発明は
傘（２３１）の手元（２３２）に手元（２３２）と付け外し可能で傘立てにも
なる手元（２３３）を傘（２３１）の手元（２３２）の一部に設け
手元（２３３）の先端部（２３４）が回動することで傘立ての支脚の一部に
なる回動支脚部（２３５）を手元（２３３）の一部に設け手元（２３３）に
傘（２３１）の石突き（２３６）を挿着することで傘（２３１）を立たせて
保持させる挿着保持部（２３７）を手元（２３３）の一部に設けた
ことを特徴とする自立式の傘である。これにより
傘立てになる手元を傘から取り外し、傘立てになる手元の回動支脚部（２３５）を
回動させて傘を支える支脚を出し、挿着保持部（２３７）に傘の石突きを
挿着することで傘を立たせておくことができる。
【００３８】
請求項３６に記載の発明は
請求項３５に記載の自立式の傘において
手元（２３３）の先端部（２３４）の一部に磁石部（２３８）と
磁石部（２３８）と吸着する磁石部（２３９）を
回動支脚部（２３５）の一部に更に備えたことを特徴とする自立式の傘
である。これにより
手元（２３３）を傘立てとして使用する際、手元（２３３）の先端部（２３４）
の一部に備えた磁石部（２３８）と手元（２３３）の回動支脚部（２３５）
の一部に備えた磁石部（２３９）が磁石の力により吸着することで
回動支脚部（２３５）を傘立ての支脚として使用できる状態を維持できる。
また傘立てにもなる手元（２３３）の回動支脚部（２３５）を押しまわすことで
傘立てにもなる手元（２３３）を手元として使うか、
傘立てとして使うかを切り替えることができる
【００３９】
請求項３７に記載の発明は
請求項１〜３６のいずれかに記載の自立式の傘において
傘の石突きの一部に磁石部（４０）と前記石突きに吸着する磁石部（４１）を
挿着保持部の一部に更に設けたことを特徴とする自立式の傘である
これにより
傘立てになる手元の挿着保持部に傘の石突きを挿着し、傘を持ち上げたときに
傘の石突きに設けた磁石と傘立てになる手元の挿着保持部に設けた磁石が引力に
より吸着することで傘の石突きから、傘立てになる手元が外れ落ちるのを防止でき
また引っ張ることで簡単に傘と傘立てになる手元を外すことができる。
【００４０】
請求項３８に記載の発明は
請求項１〜３７のいずれかに記載の自立式の傘において
傘から取り外さない側の手元の一部にクリップ（２９）とクリップ（２９）の
先方に挟み部（３０）を設け、傘立てになる側の手元の一部に溝（３１）を
更に設け溝（３１）にクリップ（２９）の挟み部（３０）で挟むことで
取り外さない側の手元と傘立てになる側の手元を固着することを特徴とする
自立式の傘である
これにより
傘を立たせたいときに、クリップを押し傘立てになる手元を傘から簡単に
外すことができる、又傘立てになる手元を傘に装着するときは、傘立てになる手元を
クリップを設けた傘から取り外さない側の手元に押しはめることで簡単に装着する
ことができる
【００４１】
請求項３９に記載の発明は
請求項１〜３８のいずれかに記載の自立式の傘において
傘の石突きの一部にネジ部（４２）を更に備え、前記石突きの一部に備えた
ネジ部（４２）と係合するネジ穴（４３）を挿着保持部の一部に更に備えたことを
特徴とする自立式の傘である
これにより
傘の石突きに備えたネジ部と傘立てになる手元の挿着保持部に備えたネジ部を
回しはめることで、傘を持ち上げた際に、傘から傘立てになる手元が外れ落ちて
しまうのを防止することができ、又、外す方向にネジを回すことで簡単に
傘と傘立てになる手元を外すことができる。
【００４２】
請求項４０に記載の発明は
請求項１〜３９のいずれかに記載の自立式の傘において
傘の石突きの一部に凹凸部（４４）を更に備え、前記石突きの一部に備えた
凹凸部（４４）と係合する、凹凸部（４５）を挿着保持部の一部に更に備えた
ことを特徴とする自立式の傘である
これにより
傘立てになる手元の挿着保持部に備えた凹凸部と係合する凹凸部を備えた
傘の石突きを挿着保持部に押しはめることで、傘を持ち上げたときに傘から
傘立てになる手元が外れ落ちてしまうのを防止することができる又、引っ張る
ことで簡単に傘の石突きと傘立てになる手元の挿着保持部を外すことができる
【００４３】
請求項４１に記載の発明は
請求項１〜４０のいずれかに記載の自立式の傘において
挿着保持部の開口部に色と印しにより石突きの挿着場所を印す目印（４６）を
更に備えたことを特徴とする自立式の傘である
これにより
傘の石突きを傘立てになる手元に設けた挿着保持部に挿着するときに
挿着保持部に備えた目印により、挿着場所が分かりやすくなり、スムーズに
石突きを挿着することができる。
【００４４】
請求項４２に記載の発明は
請求項１〜４１のいずれかに記載の自立式の傘において
傘立てにもなる手元を傘立てとして利用する際に前記手元の両先端部が地面に
対して水平になる形状（５３）を備えたことを特徴とする自立式の傘である
これにより
傘立てになる手元に傘を挿着して立たせるときに両先端が地面に対して
水平になる形状により安定して傘を立たせておくことができる。
【００４５】
請求項４３に記載の発明は
請求項１〜４２のいずれかに記載の自立式の傘において
傘から取り外さない側の手元に、傘立てになる側の手元と
付け外し可能に接続するための装着部の一部にネジ部を更に備え
前記取り外さない側の手元の装着部の一部に備えたネジ部と係合する
ネジ部を前記傘立てになる側の手元の装着部の一部に更に備えたことを
特徴とする自立式の傘である
これにより
傘立てになる手元を傘から取り外すときに、傘立てになる手元の装着部に
備えたネジ部を外す方向に回すことで、傘から取り外さない側の手元の装着部から
傘立てになる手元を外すことができる又、傘立てになる手元の装着部に備えた
ネジ部を、傘から取り外さない側の手元の装着部に備えたネジ部に
はめる方向に回し装着することで傘立てになる手元を傘に固着することができる
【００４６】
請求項４４に記載の発明は
請求項１〜４２のいずれかに記載の自立式の傘において
傘から取り外さない側の手元に、傘立てになる側の手元と
付け外しを可能に接続するための装着部の一部に凹凸部
（４９）を更に備え前記取り外さない側の手元の装着部の一部に備えた
凹凸部（４９）と係合する凹凸部（５０）を前記傘立てになる側の手元の
装着部の一部に更に備えたことを特徴とする自立式の傘である
これにより
傘立てになる手元を傘から取り外すときに引っ張ることで傘立てになる手元を
傘から外すことができる又、傘立てになる手元の装着部の一部に備えた凹凸部を、
傘から取り外さない側の手元の装着部の一部に備えた凹凸部に
押しはめることで、傘から外さない側の手元と傘立てになる手元とを固着する
ことができる
【００４７】
請求項４５に記載の発明は
請求項１〜４４のいずれかに記載の自立式の傘において
傘から取り外さない側の手元に、傘立てになる側の手元と
付け外し可能に接続するための装着部の一部に磁石部（５１）を更に備え
前記取り外さない側の手元の装着部の一部に備えた磁石部（５１）と
吸着する磁石部（５２）を前記傘立てになる側の手元の装着部の一部に更に備えた
ことを特徴とする自立式の傘である
これにより
傘立てになる手元を傘から取り外すときに引っ張ることで
傘立てになる手元を傘から外すことができ、外した傘立てになる手元の挿着保持部に
傘の石突きを挿着することで傘立てになる手元を傘立てとして利用して傘を立たせて
おくことができ又、傘立てになる手元を傘から取り外さない手元に装着するときは
傘から取り外さない側の手元の装着部の一部に備えた磁石と、傘立てになる手元の
装着部の一部に備えた磁石が引力で吸着させることで傘立てになる手元と、傘から
取り外さない側の手元をより固着させることができる。
【発明の効果】
【００４８】
本発明により、傘の石突き側を下にして立たせて地面に置いた場合に、傘が
倒れてしまうという不都合は起きず、傘を立てて置く事ができる。
【発明を実施するための形態】
【００４９】
以下、本発明の実施の形態を説明する
[実施形態１]
本発明の自立式の傘の構成は
傘（１）の石突き（４）を保持する挿着保持部（５）を備え、傘の手元（２）に
付け外し可能な傘立てにもなる手元（３）を傘（１）の手元（２）の一部に設け
手元（２）に装着するために手元（３）に溝（３１）と
凹凸部（５０）と磁石部（５２）を備えた装着部（９２）を設け
手元（２）に手元（３）を装着するために、手元（２）の装着部（９１）に
クリップ（２９）と凹凸部（４９）と磁石部（５１）を設け
更に傘（１）の石突き（４）の一部に凹凸部（４４）と磁石部（４０）を設け
傘（１）の石突き（４）の凹凸部（４４）と係合する凹凸部（４５）と
傘（１）の石突き（４）に備えた磁石部（４０）と吸着する磁石部（４１）を
傘立てになる手元（３）の挿着保持部（５）の一部に設ける
本発明の傘保持具を使用する場合は、
傘（１）の手元（２）から手元（３）を取り外し、傘（１）の石突き（４）を
手元（３）に備えた挿着保持部（５）に挿着することで
傘（１）の石突き（４）は挿着保持部（５）で保持され、傘立てとして利用する
手元（３）により傘（１）を自立させることができ
また傘（１）の石突き（４）を傘立てにもなる手元（３）の挿着保持部（５）に
押しはめることで傘（１）の石突き（４）に挿着した、傘立てにもなる
手元（３）の挿着保持部（５）の一部に設けた凹凸部（４５）と磁石部（４１）
により傘（１）の石突き（４）の凹凸部（４４）と磁石部（４０）が係合し更に
吸着することで、傘（１）を持ち上げたときに傘（１）の石突き（４）から
外れ落ちるのを防止することができる、また、外す方向に引っ張ることで
傘（１）の石突き（４）から、傘立てにもなる手元（３）を簡単に外すことができる
また手元（３）を傘立てとして利用しない時は
手元（２）の装着部（９１）に備えた凹凸部（４９）と磁石部（５１）に
手元（３）の装着部（９２）に備えた凹凸部（５０）と磁石部（５２）を装着し
凹凸部（４９）と凹凸部（５０）とが係合して装着され、磁石部（５１）と磁石部
（５２）が磁石の吸引力で吸着し、
溝（３１）をクリップ（２９）の挟み部（３０）で挟むことで
手元（２）の装着部（９１）に手元（３）の装着部（９２）を固着できる
【００５０】
[実施形態２]
本発明の自立式の傘の構成は
傘（７１）の手元（７２）の一部に傘（７１）の石突き（７４）を保持する
挿着保持部（７５）と挿着保持部（７５）を軸に回動することで、支脚の一部に
なる手元（７６）を備えた傘立てにもなる手元（７３）を設け
手元（７２）に装着するために手元（７３）に溝（３１）と
凹凸部（５０）と磁石部（５２）を備えた装着部（９４）を設け
手元（７２）に手元（７３）を装着するために、手元（７２）の装着部（９３）に
クリップ（２９）と凹凸部（４９）と磁石部（５１）を設け
手元（７３）に磁石部（９５）と手元（７６）に磁石部（１３０）を設け
更に傘（７１）の石突き（７４）の一部に凹凸部（４４）と磁石部（４０）を設け
傘（７１）の石突き（７４）の凹凸部（４４）と係合する凹凸部（４５）と
傘（７１）の石突き（７４）に備えた磁石部（４０）と吸着する磁石部（４１）を
傘立てになる手元（７３）の挿着保持部（７５）の一部に設ける
本発明の自立式の傘を使用する場合は、
傘（７１）の手元（７２）から手元（７３）を取り外し、手元（７３）に
備えた、手元（７６）を支脚として使用できる状態にして、傘（７１）の
石突き（７４）を手元（７３）に備えた挿着保持部（７５）に挿着することで
傘（７１）の石突き（７４）は挿着保持部（７５）で保持され、
傘立てとして利用する手元（７３）により傘（７１）を自立させることができる。
また手元（７３）を傘立てとして利用しない時は
手元（７２）の装着部（９３）に備えた凹凸部（４９）と磁石部（５１）に
手元（７３）の装着部（９４）に備えた凹凸部（５０）と磁石部（５２）を装着し
凹凸部（４９）と凹凸部（５０）とが係合して装着され、磁石部（５１）と磁石部
（５２）が磁石の吸引力で吸着し、
溝（３１）をクリップ（２９）の挟み部（３０）で挟むことで
手元（７２）の装着部（９３）に手元（７３）の装着部（９４）を固着でき
手元（７３）の磁石部（９５）と手元（７６）の磁石部（１３０）により
手元（７３）を傘立てとして使用しないときに勝手に開いてしまうのを防止
することができる
また傘（７１）の石突き（７４）を傘立てにもなる手元（７３）の挿着保持部
（７５）に押しはめることで傘（７１）の石突き（７４）に挿着した、
傘立てにもなる手元（７３）の挿着保持部（７５）の一部に設けた凹凸部
（４５）と磁石部（４１）により傘（７１）の石突き（７４）の凹凸部（４４）と
磁石部（４０）が係合し更に、吸着することで、
傘（７１）を持ち上げたときに傘（７１）の石突き（７４）から
外れ落ちるのを防止することができる、また、外す方向に引っ張ることで
傘（７１）の石突き（７４）から、傘立てにもなる手元（７３）を簡単に
外すことができる
【００５１】
[実施形態３]
本発明の自立式の傘の構成は
傘（８１）の手元（８２）の一部に傘（８１）の石突き（８４）を保持する
挿着保持部（８５）と手元（８３）の一部に軸（８８）と軸（８８）を支点に
回動して開くことで支脚の一部になる手元（８７）を備えた傘立てにもなる
手元（８３）を設け手元（８２）に装着するために手元（８３）に溝（３１）と
凹凸部（５０）と磁石部（５２）を備えた装着部（１００）を設け
手元（８２）に手元（８３）を装着するために、手元（８２）の装着部（９９）に
クリップ（２９）と凹凸部（４９）と磁石部（５１）を設け
手元（８３）に磁石部（９８）と手元（８７）に磁石部（１３１）を設ける
更に傘（８１）の石突き（８４）の一部に凹凸部（４４）と磁石部（４０）を設け
傘（８１）の石突き（８４）の凹凸部（４４）と係合する凹凸部（４５）と
傘（８１）の石突き（８４）に備えた磁石部（４０）と吸着する磁石部（４１）を
傘立てにもなる手元（８３）の挿着保持部（８５）の一部に設ける
本発明の自立式の傘を使用する場合は、
傘（８１）の手元（８２）から手元（８３）を取り外し、手元（８３）に備えた、
手元（８７）を支脚として使用できる状態にして、傘（８１）の石突き（８４）を
手元（８３）に備えた挿着保持部（８５）に挿着することで
傘（８１）の石突き（８４）は挿着保持部（８５）で保持され、傘立てとして
利用する手元（８３）により傘（８１）を自立させることができる。
また手元（８３）を傘立てとして利用しない時は
手元（８２）の装着部（９９）に備えた凹凸部（４９）と磁石部（５１）に
手元（８３）の装着部（１００）に備えた凹凸部（５０）と磁石部（５２）を
装着し凹凸部（４９）と凹凸部（５０）とが係合して装着され、
磁石部（５１）と磁石部（５２）が磁石の吸引力で吸着し、
溝（３１）をクリップ（２９）の挟み部（３０）で挟むことで
手元（８２）の装着部（９９）に手元（８３）の装着部（１００）を固着でき
手元（８３）の磁石部（９８）と手元（８７）の磁石部（１３１）により
手元（８３）を傘立てとして使用しないときに勝手に開いてしまうのを防止する
ことができる
また傘（８１）の石突き（８４）を傘立てにもなる手元（８３）の
挿着保持部（８５）に押しはめることで傘（８１）の石突き（８４）に
挿着した、傘立てにもなる手元（８３）の挿着保持部（８５）の一部に
設けた凹凸部（４５）と磁石部（４１）により
傘（８１）の石突き（８４）の凹凸部（４４）と磁石部（４０）が係合し更に
吸着することで、傘（８１）を持ち上げたときに傘（８１）の石突き（８４）から
外れ落ちるのを防止することができる、また、外す方向に引っ張ることで
傘（８１）の石突き（８４）から、傘立てにもなる手元（８３）を
簡単に外すことができる
【００５２】
[実施形態４]
本発明の自立式の傘の構成は
傘（１１）の手元（１２）の一部に傘（１１）の石突き（１３）を保持する
挿着保持部（１０）を備えた、閉じ開き可能な傘立てにもなる手元（９）を設け
手元（１２）に装着するために手元（９）に溝（３１）と
凹凸部（５０）と磁石部（５２）を備えた装着部（１０７）を設け
手元（１２）に手元（９）を装着するために、手元（１２）の装着部（１０６）に
クリップ（２９）と凹凸部（４９）と磁石部（５１）を設け
手元（９）の上面に手元（９）を閉じ開き可能にする回動部（１０５）を設け
回動部（１０５）を傘立てになる手元（９）を傘立ての状態に維持する
磁石ストッパー（１３３）と磁石ストッパー（１０４）を設ける
更に傘（１１）の石突き（１３）の一部に凹凸部（４４）と磁石部（４０）を設け
傘（１１）の石突き（１３）の凹凸部（４４）と係合する凹凸部（４５）と
傘（１１）の石突き（１３）に備えた磁石部（４０）と吸着する磁石部（４１）を
傘立てになる手元（９）の挿着保持部（１０）の一部に設ける
本発明の自立式の傘を使用する場合は
傘（１１）の手元（１２）から手元（９）を取り外し、手元（９）を開き
手元（９）に備えた挿着保持部（１０）に傘（１１）の石突き（１３）を
挿着することで傘（１１）の石突き（１３）は挿着保持部（１０）で保持され
傘立てとして利用する手元（９）により傘（１１）を自立させることができる。
また手元（９）を傘立てとして利用しない時は
手元（１２）の装着部（１０６）に備えた凹凸部（４９）と磁石部（５１）に
手元（９）の装着部（１０７）に備えた凹凸部（５０）と磁石部（５２）を装着し
凹凸部（４９）と凹凸部（５０）とが係合して装着され、磁石部（５１）と磁石部
（５２）が磁石の吸引力で吸着し、
溝（３１）をクリップ（２９）の挟み部（３０）で挟むことで
手元（１２）の装着部（１０６）に手元（９）の装着部（１０７）を固着でき
また傘立てとして手元（９）を使用する際、回動部により、手元（９）を開け、
磁石ストッパーにより、傘立てとして手元（９）を使用時に、傘の石突きを挿着する
挿着保持部を地面に対して、垂直になる位置まで開いて、その位置で開いた状態を
磁石の吸着力により維持し、また回動部による開きすぎを防止することができる
また傘（１１）の石突き（１３）を傘立てにもなる手元（９）の
挿着保持部（１０）に押しはめることで傘（１１）の石突き（１３）に
挿着した、傘立てにもなる手元（９）の挿着保持部（１０）の一部に設けた
凹凸部（４５）と磁石部（４１）により傘（１１）の石突き（１３）の
凹凸部（４４）と磁石部（４０）が係合し更に
吸着することで、傘（１１）を持ち上げたときに傘（１１）の石突き（１３）から
外れ落ちるのを防止することができる、また、外す方向に引っ張ることで
傘（１１）の石突き（１３）から、傘立てにもなる手元（９）を
簡単に外すことができる
【００５３】
[実施形態５]
本発明の自立式の傘の構成は
傘（１４）の石突き（２０）にネジ部（１９）とネジ部（１８）を備えた手元
（１５）を設け、さらにネジ部（１８）とネジ部（１９）に係合するネジ穴（２１）
を備えた手元（１６）を傘（１４）の手元（１５）の一部に設ける
本発明の自立式の傘を使用する場合は
傘（１４）の手元（１５）のネジ部（１８）から手元（１６）のネジ穴（２１）
を回し外し、石突き（２０）のネジ部（１９）に手元（１６）のネジ穴（２１）を
回しはめることで手元（１６）により傘（１４）を自立させることができる
【００５４】
[実施形態６]
本発明の自立式の傘の構成は
傘（１４１）の石突き（１４２）に凹凸部（１４３）と凹凸部（１４６）を備えた
手元（１４５）を設け、さらに凹凸部（１４６）と凹凸部（１４３）に係合する
凹凸部（１４８）を備えた手元（１４７）を傘（１４１）の手元（１４５）
の一部に設ける
本発明の自立式の傘を使用する場合は
傘（１４１）の手元（１４５）の凹凸部（１４６）から手元（１４７）の
凹凸部（１４８）を引っ張って外し、石突き（１４２）の凹凸部（１４３）に
手元（１４７）の凹凸部（１４８）を押しはめることで手元（１４７）により
傘（１４１）を自立させることができる
【００５５】
[実施形態７]
本発明の自立式の傘の構成は
傘（２２）の手元（２３）の一部に傘（２２）の石突き（２７）を保持する
挿着保持部（２８）を備えた傘立てにもなる手元（２４）を設け、
更に手元（２４）の先端部（２５）が
開くことで傘立ての支脚の一部になる開閉支脚部（２６）を手元（２４）に設け
手元（２３）に装着するために手元（２４）に溝（３１）と
凹凸部（５０）と磁石部（５２）を備えた装着部（１１７）を設け
手元（２３）に手元（２４）を装着するために、手元（２３）の装着部（１１６）に
クリップ（２９）と凹凸部（４９）と磁石部（５１）を設け
手元（２４）の先端部（２５）に磁石部（１１４）と
手元（２４）の開閉支脚部（２６）の一部に磁石部（１１３）と磁石部（１１１）
を設ける
更に傘（２２）の石突き（２７）の一部に凹凸部（４４）と磁石部（４０）を設け
傘（２２）の石突き（２７）の凹凸部（４４）と係合する凹凸部（４５）と
傘（２２）の石突き（２７）に備えた磁石部（４０）と吸着する磁石部（４１）を
傘立てになる手元（２４）の挿着保持部（２８）の一部に設ける
本発明の自立式の傘を使用する場合は
傘（２２）の手元（２３）から手元（２４）を取り外し、手元（２４）の先端部
（２５）に設けた開閉支脚部（２６）を開け、手元（２４）に設けた
挿着保持部（２８）に傘（２２）の石突き（２７）を挿着することで
傘（２２）の石突き（２７）は挿着保持部（２８）で保持され
傘立てとして利用する手元（２４）により傘（２２）を自立させることができる
また手元（２４）の先端部（２５）に設けた磁石部（１１４）と
手元（２４）の開閉支脚部（２６）の一部に設けた磁石部（１１３）が
磁石の吸着力により吸着することで手元（２４）を傘立てとして
使用時に開閉支脚部（２６）が開いて傘立として使用できる状態に維持することが
できる。
また傘（２２）の石突き（２７）を傘立てにもなる手元（２４）の
挿着保持部（２８）に押しはめることで傘（２２）の石突き（２７）に
挿着した、傘立てにもなる手元（２４）の挿着保持部（２８）の一部に
設けた凹凸部（４５）と磁石部（４１）により傘（２２）の
石突き（２７）の凹凸部（４４）と磁石部（４０）が係合し更に
吸着することで、傘（２２）を持ち上げたときに傘（２２）の石突き（２７）から
外れ落ちるのを防止することができる、また、外す方向に引っ張ることで
傘（２２）の石突き（２７）から、傘立てにもなる手元（２４）を
簡単に外すことができる
また手元（２４）を傘立てとして利用しない時は
手元（２３）の装着部（１１６）に備えた凹凸部（４９）と磁石部（５１）に
手元（２４）の装着部（１１７）に備えた凹凸部（５０）と磁石部（５２）を装着し
凹凸部（４９）と凹凸部（５０）とが係合して装着され、磁石部（５１）と磁石部
（５２）が磁石の吸引力で吸着し、
溝（３１）をクリップ（２９）の挟み部（３０）で挟むことで
手元（２３）の装着部（１１６）に手元（２４）の装着部（１１７）を固着できる
また開閉支脚部（２６）の一部に備えた磁石部（１１１）により、手元（２４）を
傘立てとして使用しない時に開閉支脚部（２６）が勝手に開いてしまうのを
防止することができる
【００５６】
[実施形態８]
本発明の自立式の傘の構成は
傘（３３）の手元（３４）の一部に傘（３３）の石突き（３８）を保持する
挿着保持部（３９）を傘立てにもなる手元（３５）に設け、
更に、手元（３５）の先端部（３６）が
回動することで、傘立ての支脚の一部になる回動支脚部（３７）を設ける
手元（３４）に装着するために手元（３５）に溝（３１）と
凹凸部（５０）と磁石部（５２）を備えた装着部（１２５）を設け
手元（３４）に手元（３５）を装着するために、手元（３４）の装着部（１２４）
に、クリップ（２９）と凹凸部（４９）と磁石部（５１）を設け
手元（３５）の先端部（３６）に磁石部（１２１）と手元（３５）の
一部に磁石部（１２２）を設ける
更に傘（３３）の石突き（３８）の一部に凹凸部（４４）と磁石部（４０）を設け
傘（３３）の石突き（３８）の凹凸部（４４）と係合する凹凸部（４５）と
傘（３３）の石突き（３８）に備えた磁石部（４０）と吸着する磁石部（４１）を
傘立てになる手元（３５）の挿着保持部（３９）の一部に設ける
本発明の自立式の傘を使用する場合は
傘（３３）の手元（３４）から手元（３５）を取り外し手元（３５）先端部に
設けた回動支脚部（３７）を回動させ、手元（３５）に設けた
挿着保持部（３９）に傘（３３）の石突き（３８）を挿着することで傘（３３）の
石突き（３８）は挿着保持部（３９）で保持され傘立てとして利用する
手元（３５）により傘（３３）を自立させることができ
手元（３５）の先端部（３６）に備えた磁石部（１２１）と手元（３５）の
回動支脚部（３７）の一部に設けた磁石部（１２２）が磁石の吸着力により
吸着することで手元（３５）を傘立ての状態で維持することができる
また手元（３５）を傘立てとして利用しない時は
手元（３４）の装着部（１２４）に備えた凹凸部（４９）と磁石部（５１）に
手元（３５）の装着部（１２５）に備えた凹凸部（５０）と磁石部（５２）を装着し
凹凸部（４９）と凹凸部（５０）とが係合して装着され、磁石部（５１）と磁石部
（５２）が磁石の吸引力で吸着し、
溝（３１）をクリップ（２９）の挟み部（３０）で挟むことで
手元（３４）の装着部（１２４）に手元（３５）の装着部（１２４）を固着できる
また傘（３３）の石突き（３８）を傘立てにもなる手元（３５）の
挿着保持部（３９）に押しはめることで傘（３３）の石突き（３８）に挿着した、
傘立てにもなる手元（３５）の挿着保持部（３９）の一部に設けた
凹凸部（４５）と磁石部（４１）により傘（３３）の石突き（３８）の
凹凸部（４４）と磁石部（４０）が係合し更に
吸着することで、傘（３３）を持ち上げたときに傘（３３）の石突き（３８）から
外れ落ちるのを防止することができる、また、外す方向に引っ張ることで
傘（３３）の石突き（３８）から、傘立てにもなる手元（３５）を
簡単に外すことができる
【００５７】
[実施形態９]
本発明の自立式の傘の構成は
傘（１９５）の手元（１９６）の一部に傘（１９５）の石突き（２００）を保持する
挿着保持部（２０１）を備えた傘立てにもなる手元（１９７）を設け、
更に手元（１９７）の先端部（１９８）が
開くことで傘立ての支脚の一部になる開閉支脚部（１９９）を手元（１９７）に設け
手元（１９６）に装着するために手元（１９７）に溝（３１）と
凹凸部（５０）と磁石部（５２）を備えた装着部（２１０）を設け
手元（１９６）に手元（１９７）を装着するために、手元（１９６）の
装着部（２０９）に、クリップ（２９）と凹凸部（４９）と磁石部（５１）を設け
手元（１９７）の先端部（１９８）に磁石部（２０２）と
手元（１９７）の開閉支脚部（１９９）の一部に磁石部（２０３）と
磁石部（２０６）を設ける
更に傘（１９５）の石突き（２００）の一部に凹凸部（４４）と磁石部（４０）を
設け、傘（１９５）の石突き（２００）の凹凸部（４４）と係合する
凹凸部（４５）と傘（１９５）の石突き（２００）に備えた磁石部（４０）と
吸着する磁石部（４１）を傘立てになる手元（１９７）の
挿着保持部（２０１）の一部に設ける
本発明の自立式の傘を使用する場合は
傘（１９５）の手元（１９６）から手元（１９７）を取り外し、手元（１９７）の
先端部（１９８）に設けた開閉支脚部（１９９）を開け、手元（１９７）に設けた
挿着保持部（２０１）に傘（１９５）の石突き（２００）を挿着することで
傘（１９５）の石突き（２００）は挿着保持部（２０１）で保持され
傘立てとして利用する手元（１９７）により傘（１９５）を自立させることができる
また手元（１９７）の先端部（１９８）に設けた磁石部（２０２）と
手元（１９７）の開閉支脚部（１９９）の一部に設けた磁石部（２０３）が
磁石の吸着力により吸着することで手元（１９７）を傘立てとして
使用時に開閉支脚部（１９９）が開いて傘立として使用できる状態に維持する
ことができる
また傘（１９５）の石突き（２００）を傘立てにもなる手元（１９７）の
挿着保持部（２０１）に押しはめることで傘（１９５）の石突き（２００）に
挿着した、傘立てにもなる手元（１９７）の挿着保持部（２０１）の一部に
設けた凹凸部（４５）と磁石部（４１）により傘（１９５）の
石突き（２００）の凹凸部（４４）と磁石部（４０）が係合し更に
吸着することで、傘（１９５）を持ち上げたときに傘（１９５）の
石突き（２００）から外れ落ちるのを防止することができる。
また、外す方向に引っ張ることで
傘（１９５）の石突き（２００）から、傘立てにもなる手元（１９７）を
簡単に外すことができる
また手元（１９７）を傘立てとして利用しない時は
手元（１９６）の装着部（２０９）に備えた凹凸部（４９）と磁石部（５１）に
手元（１９７）の装着部（２１０）に備えた凹凸部（５０）と磁石部（５２）を
装着し凹凸部（４９）と凹凸部（５０）とが係合して装着され、磁石部（５１）と
磁石部（５２）が磁石の吸引力で吸着し、
溝（３１）をクリップ（２９）の挟み部（３０）で挟むことで
手元（１９６）の装着部（２０９）に手元（１９７）の装着部（２１０）を
固着できる
また開閉支脚部（１９９）の一部に備えた磁石部（２０６）により、
手元（１９７）を傘立てとして使用しない時に開閉支脚部（１９９）が勝手に
開いてしまうのを防止することができる。
【００５８】
[実施形態１０]
本発明の自立式の傘の構成は
傘（２１１）の手元（２１２）の一部に傘（２１１）の石突き（２１６）を保持する
挿着保持部（２１７）を備えた傘立てにもなる手元（２１３）を設け、
更に手元（２１３）の先端部（２１４）が
開くことで傘立ての支脚の一部になる開閉支脚部（２１５）を手元（２１３）に設け
手元（２１２）に装着するために手元（２１３）に溝（３１）と
凹凸部（５０）と磁石部（５２）を備えた装着部（２２６）を設け
手元（２１２）に手元（２１４）を装着するために、手元（２１２）の
装着部（２２５）に、クリップ（２９）と凹凸部（４９）と磁石部（５１）を設け
手元（２１３）の先端部（２１４）に磁石部（２１８）と
手元（２１３）の開閉支脚部（２１５）の一部に磁石部（２１９）と
磁石部（２２２）を設ける
更に傘（２１１）の石突き（２１６）の一部に凹凸部（４４）と磁石部（４０）を
設け、傘（２１１）の石突き（２１６）の凹凸部（４４）と係合する
凹凸部（４５）と
傘（２１１）の石突き（２１６）に備えた磁石部（４０）と
吸着する磁石部（４１）を傘立てになる手元（２１３）の
挿着保持部（２１７）の一部に設ける
本発明の自立式の傘を使用する場合は
傘（２１１）の手元（２１２）から手元（２１３）を取り外し、手元（２１３）の
先端部（２１４）に設けた開閉支脚部（２１５）を開け、手元（２１３）に設けた
挿着保持部（２１７）に傘（２１１）の石突き（２１６）を挿着することで
傘（２１１）の石突き（２１６）は挿着保持部（２１７）で保持され
傘立てとして利用する手元（２１３）により傘（２１１）を自立させることができる
また手元（２１３）の先端部（２１４）に設けた磁石部（２１８）と
手元（２１３）の開閉支脚部（２１５）の一部に設けた磁石部（２１９）が
磁石の吸着力により吸着することで手元（２１３）を傘立てとして
使用時に開閉支脚部（２１５）が開いて傘立として使用できる状態に維持する
ことができる
また傘（２１１）の石突き（２１６）を傘立てにもなる手元（２１３）の
挿着保持部（２１７）に押しはめることで傘（２１１）の石突き（２１６）に
挿着した、傘立てにもなる手元（２１３）の挿着保持部（２１７）の一部に
設けた凹凸部（４５）と磁石部（４１）により傘（２１１）の
石突き（２１６）の凹凸部（４４）と磁石部（４０）が係合し更に
吸着することで、傘（２１１）を持ち上げたときに傘（２１１）の
石突き（２１６）から外れ落ちるのを防止することができる。
また、外す方向に引っ張ることで
傘（２１１）の石突き（２１６）から、傘立てにもなる手元（２１３）を
簡単に外すことができる
また手元（２１３）を傘立てとして利用しない時は
手元（２１２）の装着部（２２５）に備えた凹凸部（４９）と磁石部（５１）に
手元（２１３）の装着部（２２６）に備えた凹凸部（５０）と磁石部（５２）を
装着し凹凸部（４９）と凹凸部（５０）とが係合して装着され、磁石部（５１）と
磁石部（５２）が磁石の吸引力で吸着し、
溝（３１）をクリップ（２９）の挟み部（３０）で挟むことで
手元（２１２）の装着部（２２５）に手元（２１３）の装着部（２２６）を
固着できる
また開閉支脚部（２１５）の一部に備えた磁石部（２２２）により、
手元（２１３）を傘立てとして使用しない時に開閉支脚部（２１５）が勝手に
開いてしまうのを防止することができる。
【００５９】
[実施形態１１]
本発明の自立式の傘の構成は
傘（２３１）の手元（２３２）の一部に傘（２３１）の石突き（２３６）を保持する
挿着保持部（２３７）を傘立てにもなる手元（２３３）に設け、
更に、手元（２３３）の先端部（２３４）が
回動することで、傘立ての支脚の一部になる回動支脚部（２３５）を設ける
手元（２３２）に装着するために手元（２３３）に溝（３１）と
凹凸部（５０）と磁石部（５２）を備えた装着部（２４１）を設け
手元（２３２）に手元（２３３）を装着するために、手元（２３２）の装着部（２４０）
に、クリップ（２９）と凹凸部（４９）と磁石部（５１）を設け
手元（２３３）の先端部（２３４）に凹凸部（２３８）と手元（２５３）の
一部に凹凸部（２３９）を設ける
更に傘（２３１）の石突き（２３６）の一部に凹凸部（４４）と磁石部（４０）を設け
傘（２３１）の石突き（２３６）の凹凸部（４４）と係合する凹凸部（４５）と
傘（２３１）の石突き（２３６）に備えた磁石部（４０）と吸着する磁石部（４１）を
傘立てになる手元（２３３）の挿着保持部（２３７）の一部に設ける
本発明の自立式の傘を使用する場合は
傘（２３１）の手元（２３２）から手元（２３３）を取り外し手元（２３３）の先端部に
設けた回動支脚部（２３５）を回動させ、手元（２３３）に設けた
挿着保持部（２３７）に傘（２３１）の石突き（２３６）を挿着することで傘（２３１）の
石突き（２３６）は挿着保持部（２３７）で保持され傘立てとして利用する
手元（２３３）により傘（２３１）を自立させることができ
手元（２３３）の先端部（２３４）に備えた磁石部（２３８）と手元（２３３）の
回動支脚部（２３５）の一部に設けた磁石部（２３９）が磁石の吸引力により吸着
することで手元（２３３）を傘立ての状態で維持することができる
また手元（２３３）を傘立てとして利用しない時は
手元（２３２）の装着部（２４０）に備えた凹凸部（４９）と磁石部（５１）に
手元（２３３）の装着部（２４１）に備えた凹凸部（５０）と磁石部（５２）を装着し
凹凸部（４９）と凹凸部（５０）とが係合して装着され、磁石部（５１）と磁石部
（５２）が磁石の吸引力で吸着し、
溝（３１）をクリップ（２９）の挟み部（３０）で挟むことで
手元（２３２）の装着部（２４０）に手元（２３３）の装着部（２４１）を固着できる
また傘（２３１）の石突き（２３６）を傘立てにもなる手元（２３３）の
挿着保持部（２３７）に押しはめることで傘（２３１）の石突き（２３６）に挿着した、
傘立てにもなる手元（２３３）の挿着保持部（２３７）の一部に設けた
凹凸部（４５）と磁石部（４１）により傘（２３１）の石突き（２３６）の
凹凸部（４４）と磁石部（４０）が係合し更に
吸着することで、傘（２３１）を持ち上げたときに傘（２３１）の石突き（２３６）から
外れ落ちるのを防止することができる、また、外す方向に引っ張ることで
傘（２３１）の石突き（２３６）から、傘立てにもなる手元（２３３）を
簡単に外すことができる
【図面の簡単な説明】
【００６０】
【図１】実施形態１の3箇所で支える自立式の傘を傘立てになる手元に、傘の石突きを挿着して傘を自立させている斜視図
【図２】実施形態１の3箇所で支える自立式の図（A−１）自立式の傘の手元部分の拡大斜視図（A−２）傘立てになる手元の平面図（A−３）傘立てになる手元の正面図
【図３】実施形態１の４箇所で支える自立式の傘を傘立てになる手元に、傘の石突きを挿着して傘を自立させている斜視図
【図４】実施形態１の4箇所で支える自立式の傘の図（B−１）自立式の傘の手元部分の拡大斜視図（B−２）傘立てになる手元の平面図（B−３）傘立てになる手元の正面図
【図５】実施形態１の２箇所で支える自立式の傘を傘立てになる手元に、傘の石突きを挿着して傘を自立させている斜視図
【図６】実施形態１の２箇所で支える自立式の傘の図（C−１）自立式の傘の手元部分の拡大斜視図（C−２）傘立てになる手元の平面図（C−３）傘立てになる手元の正面図
【図７】実施形態２の自立式の傘の手元部分の拡大斜視図
【図８】実施形態２の自立式の傘の傘立てになる手元を、傘の石突きに挿着して傘を自立させている斜視図
【図９】実施形態２の自立式の傘の手元部分の図（D−１）傘立てになる手元を、傘立てとして使用時の平面図（D−２）傘立てになる手元を、傘立てとして使用時の斜視図（D−３）傘立てになる手元を、傘立てとして使用時の正面図
【図１０】実施形態２の自立式の傘の手元部分の図（D−４）傘立てになる手元を、手元として使用時の平面図（D−５）傘立てになる手元を、手元として使用時の正面図（D−６）傘立てになる手元を、手元として使用時の斜視図
【図１１】実施形態３の自立式の傘の手元部分の拡大斜視図
【図１２】実施形態３の自立式の傘の傘立てになる手元を、傘の石突きに挿着して傘を自立させている斜視図
【図１３】実施形態３の自立式の傘の手元部分の図（E−１）傘立てになる手元を、傘立てとして使用時の斜視図（E−２）傘立てになる手元を、手元として使用時の正面図
【図１４】実施形態３の自立式の傘の手元部分の図（E−３）傘立てになる手元を、傘立てとして使用時の平面図（E−４）傘立てになる手元を、手元として使用時の斜視図（E−５）傘立てになる手元の分解斜視図
【図１５】実施形態４の自立式の傘の斜視図
【図１６】実施形態４の自立式の傘の傘立てになる手元を、傘の石突きに挿着して傘を自立させている斜視図
【図１７】実施形態４の自立式の傘の手元部分の図（F−１）傘立てになる手元を、傘立てとして使用時の平面図（F−２）傘立てになる手元を、手元として使用時の斜視図（F−３）傘立てになる手元を、傘立てとして使用時の正面図
【図１８】実施形態４の自立式の傘の傘立てになる手元を、傘立てとして使用時の斜視図
【図１９】実施形態５の自立式の傘の斜視図
【図２０】実施形態５の自立式の傘の斜視図
【図２１】実施形態５の自立式の傘の傘立てになる手元を、傘の石突きに挿着して傘を自立させている斜視図
【図２２】実施形態５の自立式の傘の斜視図
【図２３】実施形態５の自立式の傘の傘立てになる手元を、傘の石突きに挿着して傘を自立させている斜視図
【図２４】実施形態６の自立式の傘の斜視図
【図２５】実施形態６の自立式の傘の手元部分の図（G−１）傘立てになる手元の斜視図（G−２）傘立てになる手元のA−Aの断面図（G−３）傘立てになる手元の平面図
【図２６】実施形態７の自立式の傘の斜視図
【図２７】実施形態７の自立式の傘の傘立てになる手元を、傘の石突きに挿着して傘を自立させている斜視図
【図２８】実施形態７の自立式の傘の手元部分の図（H−１）傘立てになる手元を、傘立てとして使用時の平面図（H−２）傘立てになる手元を、傘立てとして使用時の正面図
【図２９】実施形態７の自立式の傘の手元部分の図（H−３）傘立てになる手元を、手元として使用時の斜視図（H−４）傘立てになる手元を、傘立てとして使用時の斜視図（H−５）傘立てになる手元の分解斜視図
【図３０】実施形態８の自立式の傘の手元部分の拡大正面図
【図３１】実施形態８の自立式の傘の傘立てになる手元を、傘の石突きに挿着し８傘を自立させている斜視図
【図３２】実施形態８の自立式の傘の手元部分の図（I−１）傘立てになる手元を、傘立てとして使用時の平面図（I−２）傘立てになる手元を、傘立てとして使用時の正面図（I−３）傘立てになる手元を、傘立てとして使用時の斜視図
【図３３】自立式の傘の斜視図
【図３４】自立式の傘の傘立てになる手元と傘の石突きに挿着して傘を自立させている斜視図
【図３５】自立式の傘の傘立てになる手元の図（J−１）傘立てになる手元の斜視図（J−２）傘立てになる手元のB−Bの断面図（J−３）傘立てになる手元の平面図
【図３６】自立式の傘の傘立てになる手元（７３）の図（K−１）傘立てになる手元を、傘立てとして使用時の平面図（K−２）傘立てになる手元を、傘立てとして使用時の斜視図（K−３）傘立てになる手元を、傘立てとして使用時の正面図
【図３７】自立式の傘の傘立てになる手元（８３）の図（L−１）傘立てになる手元を、傘立てとして使用時の斜視図（L−２）傘立てになる手元を、手元として使用時の正面図
【図３８】自立式の傘の傘立てになる手元（８３）の図（M−１）傘立てになる手元を、傘立てとして使用時の斜視図（M−２）傘立てになる手元を、手元として使用時の正面図
【図３９】自立式の傘の傘立てになる手元（８３）の図（N−１）傘立てになる手元を、傘立てとして使用時の斜視図（N−２）傘立てになる手元を、手元として使用時の正面図
【図４０】自立式の傘の傘立てになる手元（９）の図（O−１）傘立てになる手元を、傘立てとして使用時の平面図（O−２）傘立てになる手元を、手元として使用時の斜視図（O−３）傘立てになる手元を、傘立てとして使用時の正面図
【図４１】自立式の傘の傘立てになる手元（９）の図（P−１）傘立てになる手元を、傘立てとして使用時の平面図（P−２）傘立てになる手元を、手元として使用時の斜視図（P−３）傘立てになる手元を、傘立てとして使用時の正面図
【図４２】自立式の傘の傘立てになる手元（２４）の図（Q−１）傘立てになる手元を、手元として使用時の斜視図（Q−２）傘立てになる手元を、傘立てとして使用時の斜視図（Q−３）傘立てになる手元の分解斜視図
【図４３】自立式の傘の傘立てになる手元（３５）の手元部分の拡大正面図
【図４４】実施形態９の自立式の傘（１９５）の斜視図
【図４５】実施形態９の自立式の傘（１９５）を自立させている斜視図
【図４６】実施形態９の自立式の傘（１９５）の傘立てになる手元（１９７）の図（R−１）傘立てになる手元を傘立てとして使用時の平面図（R−２）傘立てになる手元を傘立てとして使用時の斜視図（R−３）傘立てになる手元の分解斜視図
【図４７】自立式の傘（１９５）の斜視図
【図４８】自立式の傘（１９５）を自立させている斜視図
【図４９】自立式の傘（１９５）の傘立てになる手元（１９７）の図（S−１）傘立てになる手元を傘立てとして使用時の平面図（S−２）傘立てになる手元を傘立てとして使用時の斜視図（S−３）傘立てになる手元の分解斜視図
【図５０】実施形態１０の自立式の傘（２１１）の斜視図
【図５１】実施形態１０の自立式の傘（２１１）を自立させている斜視図
【図５２】実施形態１０の自立式の傘（２１１）の傘立てにもなる手元（２１３）の図（T−１）  傘立てにもなる手元を傘立てとして使用時の平面図（T−２）  傘立てにもなる手元を傘立てとして使用時の斜視図（T−３）  傘立てにもなる手元の分解斜視図
【図５３】自立式の傘（２１１）の斜視図
【図５４】自立式の傘（２１１）を自立させている斜視図
【図５５】自立式の傘（２１１）の傘立てにもなる手元の図（U−１）  傘立てにもなる手元を傘立てとして使用時の平面図（U−２）  傘立てにもなる手元を傘立てとして使用時の斜視図（U−３）  傘立てにもなる手元の分解斜視図
【図５６】実施形態１１の自立式の傘（２３１）の斜視図
【図５７】実施形態１１の自立式の傘（２３１）を自立させている斜視図
【図５８】実施形態１１の自立式の傘（２３１）の傘立てにもなる手元（２３３）の図（V−１）  傘立てにもなる手元を傘立てとして使用時の平面図（V−２）  傘立てにもなる手元を傘立てとして使用時の斜視図（V−３）  傘立てにもなる手元の分解斜視図
【符号の説明】
【００６１】
１      傘
２      傘から取り外さない側の手元
３      傘立てにもなる手元
４      石突き
５      挿着保持部
７      傘立てになる手元の一部を支点に回動することで支脚の一部になる手元
８      軸
９      傘立てにもなる手元
１０    挿着保持部
１１    傘
１２    傘から取り外さない側の手元
１３    石突き
１４    傘
１５    傘から取り外さない側の手元
１６    傘立てにもなる手元
１８    傘から取り外さない側の手元に設けたネジ部
１９    傘の石突きの一部に設けたネジ部
２０    石突き
２１    傘立てにもなる手元に設けたネジ穴
２２    傘
２３    傘から取り外さない側の手元
２４    傘立てにもなる手元
２５    先端部
２６    開閉支脚部
２７    石突き
２８    挿着保持部
２９    クリップ
３０    挟み部
３１    溝
３３    傘
３４    傘から取り外さない側の手元
３５    傘立てにもなる手元
３６    先端部
３７    回動支脚部
３８    石突き
３９    挿着保持部
４０    傘の石突に設けた磁石部
４１    傘立てになる手元の挿着保持部に設けた磁石部
４２    傘の石突に設けたネジ部
４３    傘立てになる手元の挿着保持部に備えたネジ穴
４４    傘の石突きに設けた凹凸部
４５    傘立てになる手元の挿着保持部に備えた凹凸部
４６    目印
４７    傘から取り外さない側の手元に備えたネジ部
４８    傘立てになる手元に備えたネジ部
４９    傘から取り外さない側の手元に備えた凹凸部
５０    傘立てになる手元に備えた凹凸部
５１    傘から取り外さない側の手元に備えた磁石部
５２    傘立てになる手元に備えた磁石部
５３    水平になる形状
７１    傘
７２    傘から外さない側の手元
７３    傘立てにもなる手元
７４    石突き
７５    挿着保持部
７６    挿着保持部を軸に回動することで支脚の一部になる手元
８１    傘
８２    傘から外さない側の手元
８３    傘立てにもなる手元
８４    石突き
８５    挿着保持部
８７    軸を支点に回動することで支脚の一部になる手元
８８    軸
９０    バネ
９１    傘から取り外さない側の手元の装着部
９２    傘立てにもなる手元の装着部
９３    傘から取り外さない側の手元の装着部
９４    傘立てにもなる手元の装着部
９５    手元の外側に備えた磁石
１３０  手元の内側に備えた磁石
９６    磁石ストッパー
９７    ストッパー吸着磁石
９８    磁石
１３１  支脚の一部になる手元に備えた磁石
９９    傘から取り外さない側の手元の装着部
１００  傘立てにもなる手元の装着部
１０１  指掛け部
１０２  軸穴
１０３  磁石
１３２  挿着保持部が無い側の磁石
１０４  磁石ストッパー
１３３  挿着保持部が無い側の磁石ストッパー
１０５  回動部
１０６  傘から取り外さない側の手元の装着部
１０７  傘立てにもなる手元の装着部
１０８  指掛け部
１１１  磁石
１１３  磁石
１１４  支脚になる手元を保持する磁石
１１５  軸
１１６  傘から取り外さない側の手元の装着部
１１７  傘立てにもなる手元の装着部
１１８  軸穴
１２１  先端側に備えた磁石
１２２  回動支脚部側に備えた磁石
１２３  軸
１２４  傘から取り外さない側の手元の装着部
１２５  傘立てにもなる手元の装着部
１４１  傘
１４２  石突き
１４３  石突きの凹凸部
１４４  傘から取り外さない側の手元の装着部
１４５  傘から取り外さない側の手元
１４６  傘から取り外さない側の手元の装着部に備えた凹凸部
１４７  傘立てになる手元
１４８  傘立てにもなる手元の装着部に備えた凹凸部
１４９  挿着保持部
１５０  挿着保持部に備えた磁石部
１５１  石突きの磁石部
１５２  傘から取り外さない側の手元の装着部に備えた磁石部
１６１  傘
１６２  石突き
１６４  傘から取り外さない側の手元の挿着部
１６５  傘から取り外さない側の手元
１６７  傘立てになる手元
１６９  挿着保持部
１７０  挿着保持部に備えた磁石部
１７１  石突きに備えた磁石部
１７２  傘から取り外さない側の手元の挿着部に備えた磁石部
１８０  凹凸部
１８１  凹凸部
１８２  凹凸部
１８３  凹凸部
１８４  凹凸部
１８５  凹凸部
１８６  凹凸部
１８７  凹凸部
１８８  凹凸部
１８９  凹凸部
１９０  凹凸部
１９１  凹凸部
１９３  凹凸部
１９４  凹凸部
１９５  傘
１９６  取り外さない側の手元
１９７  傘立てにもなる手元
１９８  先端部
１９９  開閉支脚部
２００  石突き
２０１  挿着保持部
２０２  磁石部
２０３  磁石部
２０４  凹凸部
２０５  凹凸部
２０６  磁石部
２０７  軸
２０８  軸穴
２０９  装着部
２１０  装着部
２１１  傘
２１２  取り外さない側の手元
２１３  傘立てにもなる手元
２１４  先端部
２１５  開閉支脚部
２１６  石突き
２１７  挿着保持部
２１８  磁石部
２１９  磁石部
２２０  凹凸部
２２１  凹凸部
２２２  磁石部
２２３  軸
２２４  軸穴
２２５  装着部
２２６  装着部
２３１  傘
２３２  傘から取り外さない側の手元
２３３  傘立てにもなる手元
２３４  先端部
２３５  回動支脚部
２３６  石突き
２３７  挿着保持部
２３８  磁石部
２３９  磁石部
２４０  装着部
２４１  装着部
２４２  軸
２４３  軸穴
【図１】
2017099654.tif 000003
【図２】
2017099654.tif 000004
【図３】
2017099654.tif 000005
【図４】
2017099654.tif 000006
【図５】
2017099654.tif 000007
【図６】
2017099654.tif 000008
【図７】
2017099654.tif 000009
【図８】
2017099654.tif 000010
【図９】
2017099654.tif 000011
【図１０】
2017099654.tif 000012
【図１１】
2017099654.tif 000013
【図１２】
2017099654.tif 000014
【図１３】
2017099654.tif 000015
【図１４】
2017099654.tif 000016
【図１５】
2017099654.tif 000017
【図１６】
2017099654.tif 000018
【図１７】
2017099654.tif 000019
【図１８】
2017099654.tif 000020
【図１９】
2017099654.tif 000021
【図２０】
2017099654.tif 000022
【図２１】
2017099654.tif 000023
【図２２】
2017099654.tif 000024
【図２３】
2017099654.tif 000025
【図２４】
2017099654.tif 000026
【図２５】
2017099654.tif 000027
【図２６】
2017099654.tif 000028
【図２７】
2017099654.tif 000029
【図２８】
2017099654.tif 000030
【図２９】
2017099654.tif 000031
【図３０】
2017099654.tif 000032
【図３１】
2017099654.tif 000033
【図３２】
2017099654.tif 000034
【図３３】
2017099654.tif 000035
【図３４】
2017099654.tif 000036
【図３５】
2017099654.tif 000037
【図３６】
2017099654.tif 000038
【図３７】
2017099654.tif 000039
【図３８】
2017099654.tif 000040
【図３９】
2017099654.tif 000041
【図４０】
2017099654.tif 000042
【図４１】
2017099654.tif 000043
【図４２】
2017099654.tif 000044
【図４３】
2017099654.tif 000045
【図４４】
2017099654.tif 000046
【図４５】
2017099654.tif 000047
【図４６】
2017099654.tif 000048
【図４７】
2017099654.tif 000049
【図４８】
2017099654.tif 000050
【図４９】
2017099654.tif 000051
【図５０】
2017099654.tif 000052
【図５１】
2017099654.tif 000053
【図５２】
2017099654.tif 000054
【図５３】
2017099654.tif 000055
【図５４】
2017099654.tif 000056
【図５５】
2017099654.tif 000057
【図５６】
2017099654.tif 000058
【図５７】
2017099654.tif 000059
【図５８】
2017099654.tif 000060